(57)【要約】      （修正有）【課題】着脱が便利で、しっかりと連結し、応用範囲の広範な着脱可能なランプホルダーを提供する。【解決手段】ランプホルダーは、ホルダー接続部１と、底カバー２と、固定リング３とを備える。ホルダー接続部の下端を底カバーの上端に連接し、固定リングをホルダー接続部と底カバーの連接箇所４に嵌着する。ホルダー接続部１の下端と底カバー上端の連接は、底カバー上端面に設けた嵌合溝とホルダー接続部底面の下向きに設けたフック部１２を嵌着してなり、そのホルダー接続部下端のフック部は、まっすぐに押す方式で底カバー上端面の嵌合溝内２２に嵌入させてなる。【選択図】図１
0003171617.tif 000002
【実用新案登録請求の範囲】
【請求項１】
ホルダー接続部と、底カバーと、固定リングとを備える着脱可能なランプホルダーにおいて、
ホルダー接続部は、その下端を底カバーの上端に連接し、
固定リングは、ホルダー接続部と底カバーの連接箇所に嵌着し、
さらに、ホルダー接続部と底カバーの固定作用を起こし、ホルダー接続部の内部に配置した導電部材と、底カバー内部に配置した別の導電部材とを電気的に接続し、
底カバーの上端面には環状嵌合溝を設け、環状嵌合溝の一部をカットすることにより、環状嵌合溝の溝口を開け、
ホルダー接続部底面には下向きの三個のフック部を設け、フック部はＬ字形とし、
組み合わせ時は、前記の三個のフック部のうちの二個のフック部を溝口から挿入して環状嵌合溝内に嵌設し、
ホルダー接続部の下部外壁上には環状突出体を設け、底カバーの上端外壁上には、おねじを螺設し、
固定リングは環状形部材とし、その上端口部には内側に向いたフランジを突設し、その下端口部の内壁にはめねじを螺設し、固定リングをホルダー接続部と底カバーの連接箇所に嵌設すると、その上端口部のフランジはホルダー接続部下部外壁の環状突出体上に嵌着され、その下端口部内壁のめねじと底カバー上端外壁のおねじは螺着されることを特徴とする着脱可能なランプホルダー。
【考案の詳細な説明】
【技術分野】
【０００１】
本考案は、特に、照明装置に係る着脱可能なランプホルダーに関する。
【背景技術】
【０００２】
現在、照明装置に用いられている省エネライトのランプホルダーは、いずれも照明器具に固定するものである。ランプホルダーの規格や形状が異なるため、照明器具の使用においては、嵌入式ソケットやねじ式ランプホルダーには使用できない等の制限を受ける。また、ソケットの内径はランプホルダーの直径に符合させなければならないため、使用上の便利性に欠ける。そこで、業者は、着脱や組み合わせの可能なランプホルダーの発明を多く生みだした。本出願者によるものには、着脱や交換可能なランプホルダーに関する多種の出願があるが、それらのランプホルダーは、基本的に、ホルダー接続部と、ホルダー接続部に着脱し、それに連接する底カバーとにより構成され、二者間の連接箇所には、固定作用を備えた固定リングを嵌着する。製品はそれぞれ長所を有するが、例えば、連結がしっかりしていない、取り外しや嵌合連結が不便である等の欠点もみられる。
【考案の概要】
【考案が解決しようとする課題】
【０００３】
本考案の目的は、着脱が便利で、しっかりと連結し、応用範囲のさらに広範な着脱可能なランプホルダーを提供することにある。
【課題を解決するための手段】
【０００４】
前述目的を実現するための本考案の解決手段を次に示す。
【０００５】
本考案の着脱可能なランプホルダーは、ホルダー接続部と、底カバーと、固定リングとを備える。該ホルダー接続部の下端を底カバーの上端に連接し、固定リングをホルダー接続部と底カバーの連接箇所に嵌着し、さらに、ホルダー接続部と底カバーの固定作用を起こし、ホルダー接続部の内部に配置した導電部材と、底カバー内部に配置した導電部材とを電気的に接続する。その特徴は、底カバーの上端面には、環状嵌合溝を設け、環状嵌合溝の一部をカットし、環状嵌合溝の溝口を開ける。ホルダー接続部底面には下向きの三個のフック部を設け、フック部はＬ字形とする。組み合わせ時、前記の三個のフック部のうちの二個のフック部を溝口から挿入し、環状嵌合溝内に嵌設する。ホルダー接続部の下部外壁上には環状突出体を設け、底カバーの上端外壁上には、おねじを螺設する。固定リングは環状形部材であり、その上端口部には内側に向いたフランジを突設し、その下端口部の内壁には、めねじを螺設する。固定リングをホルダー接続部と底カバーの連接箇所に嵌設すると、その上端口部のフランジはホルダー接続部下部外壁の環状突出体上に嵌着され、その下端口部内壁のめねじと底カバー上端外壁のおねじは螺着される。
【０００６】
前述の手段を採用した後、本考案のホルダー接続部の下端と底カバー上端の連接は、底カバー上端面に設けた嵌合溝とホルダー接続部底面に下向きに設けたフック部とが嵌着することによるもので、尚且つ、嵌合溝の溝口が開いているため、ホルダー接続部下端のフック部を、まっすぐに押す方式で嵌合溝内に嵌入させられる。これは、電灯をランプホルダーやソケットに取り付ける時に、その回転によって引き起こされる嵌着のゆるみと、それによって発生するランプホルダーの抜け落ち問題を防ぎ、ホルダー接続部と底カバーの結合をさらに強固にする。しかも、この種の連結方式は、取り外し、組立を非常に便利に、簡単に、迅速におこなえる。また、本考案のホルダー接続部は交換可能であるため、嵌合式ソケットや螺合式ソケット等のいずれのソケットにも適用可能で、応用範囲も非常に広範である。
【図面の簡単な説明】
【０００７】
【図１】本考案の分解図である。
【図２】本考案を組み合わせた状態を示す図である。
【図３】本考案に固定リングを嵌設した状態の正面図である。
【図４】本考案の正面図である。
【図５】本考案の底カバーの斜視図である。
【図６】本考案の底カバーの正面図である。
【図７】本考案の底カバーの上面図である。
【図８】本考案のホルダー接続部の斜視図である。
【図９】本考案のホルダー接続部の正面図である。
【図１０】本考案のホルダー接続部の上面図である。
【考案を実施するための形態】
【０００８】
以下、図面を組み合わせた具体的な実施例により、本考案についての詳しい説明をおこなう。
【０００９】
図１に示すとおり、本考案の着脱可能なランプホルダーは、ホルダー接続部１と、底カバー２と、固定リング３とを備える。
【００１０】
前記ホルダー接続部１の下端を底カバー２の上端に連接し、固定リング３をホルダー接続部１と底カバー２の連接箇所に嵌設し、固定ホルダー接続部１と底カバー２に作用を起こす。ホルダー接続部１の内部に配置した導電部材１１（図１０を参照）と、底カバー２内部に配置した導電部材２１とは電気的に接続し、導電連接装置は弾性片連接を採用する。
【００１１】
ホルダー接続部１の底面と底カバー２の上端面間には、相互に嵌着する連接部４を設ける。該連接部４は、底カバー２の上端面に設けた環状嵌合溝２２と、ホルダー接続部１底面から下向きに配置された三個のフック部１２とにより構成される。
【００１２】
前記ホルダー接続部１（図８、図９、図１０を参照）底面のフック部１２は、フック部１２１と、フック部１２２と、フック部１２３の三個を含み、フック部１２は外側に延伸するＬ字形をなす。前記底カバー２上端面の環状嵌合溝２２（図５、図６、図７を参照）の一部をカットし、環状嵌合溝２２を基本的に半円の環状嵌合溝２２とし、環状嵌合溝２２の溝口２２１を開ける。取り付ける時、前記の三個のフック部１２中の二個のフック部１２を溝口２２１から挿入し、環状嵌合溝２２内に嵌設する。
【００１３】
前記ホルダー接続部１の下部外壁上には環状突出体１３を設け、底カバー２の上端外壁上には、おねじ２３を螺設する。前記固定リング３は環状形部材であり、その上端口部には内側に向いたフランジ３１を突設し、その下端口部の内壁には、めねじを螺設する。固定リング３をホルダー接続部１と底カバー２の連接箇所に嵌設すると、その上端部のフランジ３１はホルダー接続部１下部外壁の環状突出体１３上に嵌着され、その下端口部内壁のめねじと底カバー２上端外壁のおねじ２３は螺着される。
【００１４】
図２に図５と図１０を合わせて参照する。組み立てた時、ホルダー接続部１の底面の三個のフック部１２中のうちのフック部１２１とフック部１２３の二個を環状嵌合溝２２の溝口２２１箇所に置き、ホルダー接続部１底面の三個のフック部１２中の一つのフック部１２２を環状嵌合溝２２の内リングに置き、ホルダー接続部１をまっすぐに押すと、フック部１２１とフック部１２３の二つは溝口２２１から插入され、別のフック部１２２は直接、径方向に環状嵌合溝２２内に嵌入される（図３を参照）。その後、固定リング３を回すと、組立が完成する（図４を参照）。
【００１５】
本考案の特徴は、底カバーの上端面に設けた環状嵌合溝と、ホルダー接続部の底面に設けたフック部を嵌着させることにより、ホルダー接続部と底カバーを連接することにある。
【符号の説明】
【００１６】
１：ホルダー接続部、１１：導電部材、１２：フック部、１２１、１２２、１２３：フック部、１３：環状突出体、２：底カバー、２１：導電部材、２２：環状嵌合溝、２２１：溝口、２３：おねじ２３、３：固定リング、３１：フランジ、４：連接部。
【図１】
0003171617.tif 000003
【図２】
0003171617.tif 000004
【図３】
0003171617.tif 000005
【図４】
0003171617.tif 000006
【図５】
0003171617.tif 000007
【図６】
0003171617.tif 000008
【図７】
0003171617.tif 000009
【図８】
0003171617.tif 000010
【図９】
0003171617.tif 000011
【図１０】
0003171617.tif 000012